(57)【特許請求の範囲】
【請求項１】
敷設して用いる略四角形状のシート１１、２１、３１と、前記シートの端部に着脱自在に接続されて前記シートの上面側に配置可能で、前記シートより軟質な素材からなる略四角形状のカバー１２、２２、３２とを有し、
前記シートと前記カバーのうち少なくとも一方の開放端部分若しくは近傍に、互いに着脱可能に止着する止着手段２３、２４、３３、３４、３５、３６を設け、
前記シートにヒータを内蔵し、前記ヒータを制御するコントローラを前記シートの角部に配置することを特徴とするペット用保温マット。
【請求項２】
前記カバーが前記シートより大きいことを特徴とする請求項１記載のペット用保温マット。
【請求項３】
前記カバーに開口部３７が設けられていることを特徴とする請求項１又は請求項２記載のペット用保温マット。
【請求項４】
前記カバーがペット用の衣服状若しくはショール状に形成されていることを特徴とする請求項１乃至請求項３の何れか１項に記載のペット用保温マット。
【請求項５】
前記シートがペットが自発的に入り込むようにすることができる容器状に形成されていることを特徴とする請求項１乃至請求項４の何れか１項に記載のペット用保温マット。
【発明の詳細な説明】
【０００１】
【産業上の利用分野】
本発明は、例えば犬や猫などのペット用として好適なペット用保温マットに関する。
【０００２】
【従来の技術】
例えば、犬や猫などのペットを保温するため、床上に敷かれるシート内にヒータを設けた保温マットがある。この保温マットはシート単独で構成されており、必要に応じてシート上のペットに毛布などを掛けて保温効果を高めるようにしていた。
【０００３】
【発明が解決しようとする課題】
上述のように従来の保温マットは、シート単独で構成されており、熱が発散しやすいため、気温が低い場合には毛布などを別に用意して保温効果を高めなければならないので、手間がかかり取り扱い性が悪いという問題があった。また、屋外で使用中に急激に気温が低下したような場合には、毛布などが用意できないことが多く、この場合にはペットの保温が保てなくなり保温マットとしての機能を十分に活用できないという問題があった。
【０００４】
そこで本発明は、上記問題点に鑑みてなされたものであって、取り扱い性を向上させることができると共に、保温機能を十分に活用して保温効果を向上させ、さらに定位置飼育のしつけを効果的に行うことができるペット用保温マットを提供することを目的とする。
【０００５】
【課題を解決するための手段】
本発明の上記目的は、床上に敷かれる略四角形状のシートと、前記シートの端部に着脱自在に接続されて前記シートの上面側に配置可能で、前記シートより軟質な素材からなる略四角形状のカバーとを有し、前記シートと前記カバーのうち少なくとも一方の開放端部分若しくは近傍に、互いに着脱可能に止着する止着手段を設け、前記シートにヒータを内蔵し、前記ヒータを制御するコントローラを前記シートの角部に配置するペット用保温マットによって達成することができる。
上記目的は、前記シートと前記カバーとが着脱自在に接続されているペット用保温マットによって達成することができる。
【０００６】
上記目的は、前記カバーが前記シートより大きいペット用保温マットによって達成することができる。
上記目的は、前記シートと前記カバーの両方又は片方の開放端とに夫々止着手段が設けられているペット用保温マットによって達成することができる。
上記目的は、前記カバーに開口部が設けられているペット用保温マットによって達成することができる。
【０００７】
上記目的は、前記カバーがペット用の衣服状に形成されているペット用保温マットによって達成することができる。
また、上記目的は、前記シートが容器状に形成されているペット用保温マットによって達成することができる。
【０００８】
【作用】
本発明のペット用保温マットにおいては、敷設して用いるシートの端部近傍に、シート上に配置可能なカバーが接続されているので、シートに内蔵されたヒータからの発熱が散逸されにくくなるため、ヒータ能力を抑えることができ、シートとカバーの間に例えばペットを入れることにより、毛布などを別途用意することなくペットの保温を十分に確保することができる。また、シートとカバーが着脱自在なので、シートを外して簡単に洗濯することができる。カバーに開口部を設け、ここからペットの頭を出して見ることもできる。更に、カバーをペットを包囲可能な衣服状若しくはショール状に形成すれば、カバーがペットから外れ難くなるので保温効果が向上する。シートを容器状にすれば、ペットが自発的に入り込み易くなる。このペット用保温マットを使用すれば、カバーとの組み合わせ特有の効果でペットが好んでシート上に留まるようになり、定位置飼育のしつけが行なえるようになる。
【０００９】
【実施例】
以下、本発明に係わるペット用保温マットについて、図１乃至図５を参照して詳細に説明する。図１は、本発明に係わるペット用保温マットの第一実施例を示す正面図、図２は第一実施例の平面展開図、図３は第二実施例の平面展開図、図４は第三実施例の平面展開図、図５は第三実施例の使用状態を示す正面図である。
【００１０】
図１に示すように、本発明のペット用保温マット１は、床上等に敷設されるシート１１と、シート１１の上面側に配置可能なカバー１２とで構成されている。シート１１は、例えば布、樹脂繊維織物、樹脂フォームなど十分な保温性を有する素材で成形されている。また、カバー１２は、シート１１と同じ素材としてもよく、シート１１より軟らかな素材や、逆にペットの入るスペースを保持できる程度に硬い素材としてもよい。カバー１２は、このペット用保温マット１を使用するペットの体を全体的に覆うことができる程度に十分大きい広さに成形されている。
【００１１】
シート１１は同一素材を上下に折り重ねたもので、その間にはヒータ１３が挟み込まれている。シート１１の端部にはコントローラ１４が配置されており、ここにヒータ１３とプラグ付き電気コード１５が接続されている。ヒータ１３の温度はコントローラ１４で制御するようになっている。カバー１２は、図２にも示すように一端がシート１１の端部に接続され、その反対側の一端を広げることができるようになっている。また、シート１１のヒータ１３は、シート１１の全面にわたってジグザグに配置されている。なお、必要な熱量を確保できればヒータ１３を、シート１１の全面にわたって配置することなく、シート１１の半面にわたって配置するようにしても良い。
【００１２】
このペット用保温マット１は、猫などのペットの保温用として用いられるもので、図１に示すようにシート１１上にペットを載せて、その上にカバー１２を被せる。こうすることによって、ヒータ１３の発熱が散逸され難くなり、ペットの保温を十分に確保することができる。このとき、ペット用保温マット１以外に毛布などを用意する必要がないので、取り扱い性がよくなる。
【００１３】
上述の第一実施例のペット用保温マット１では、カバー１２の一端をシート１１に接続し、もう一端を開放したが、図３に示すペット用保温マット２のように、シート２１の端部にカバー２２の一端を接続すると共に、シート２１とカバー２２の開放端にそれぞれ止着手段２３、２４を設けることができる。止着手段２３、２４としては、ボタン、マジックテープ（登録商標）、編み紐、ファスナなどを用いることができる。このペット用保温マット２の上述した以外の部分は、図１のペット用保温マット１と同様な構成である。
【００１４】
このペット用保温マット２においては、シート２１上にペットを載せて、その上にカバー２２を被せる。そして、カバー２２の止着手段２４をシート２１の止着手段２３に止着する。これによって、シート２１上でペットが動いても、カバー２２が開かないので、ペットの保温を常に確保することができる。第二実施例のペット用保温マット２では、シート２１とカバー２２の対応する一辺に止着手段２３、２４を設けたが、図４に示すペット用保温マット３のように、シート３１とカバー３２の対応する連続した２辺に止着手段３３、３４、３５、３６を設けることができる。こうすれば、シート３１上にいるペットの三方が閉じられるので、更に保温性が良くなる。
【００１５】
また、カバー３２には、適宜な大きさの開口部３７を設けることもできる。この開口部３７は、三方を切り込んで形成することができ、また、切り込みの内側の切片は、蓋３８として用いることができる。なお、蓋３８を切り取って開口部３７を常時開放するようにしてもよい。このような開口部３７を設けることによって、図５に示すように開口部３７からペットの顔や体を見ることができ、ペットがカバー３２内に隠れてしまってペットの愛玩性を損なうようなことを防止できる。
【００１６】
なお、上述の実施例ではシート１１、２１、３１及びカバー１２、２２、３２を平面状に形成した場合について説明したが、カバー１２、２２、３２をペットの衣服状に形成することもできる。こうすれば、ペットの保温を確実に確保できると共に、ペットが隠れてしまってその愛玩性を損なうことがなくなる。また、シート１１、２１、３１を容器状に形成すれば、ペットが自発的に入り込むようになるので、ペット用保温マット１、２、３を十分に活用することができる。更に、これらのペット用保温マット１、２、３を使用すれば、ペットの定位置飼育を簡単に行なうことができる。本発明のペット用保温マットはペット用以外に、膝掛などにも使用することが可能である。
【００１７】
【発明の効果】
以上説明したように、本発明のペット用保温マットは、床上等に敷設されるシートの端部にカバーを接続したものである。したがって、このペット用保温マットによれば、別途毛布などを用意する必要がないから、取り扱い性が良くなり、また、シート内のヒータからの発熱が散逸され難くなるから、これを適用するペットなどの保温を確保することが可能になるとともに、従来品に比して保温に要する熱量が少なくて済む。また、ペットが自発的にペット用保温マット内に入り込んでくるので、ペットの定位置飼育のしつけが容易に行なえるようになる。カバーをシートから着脱自在にすれば、カバーの洗濯が容易になる。カバーを大きめに形成すれば、カバー内にペットが容易に入り込むことができ、また、カバーの端をシートの下側に入れることにより、カバーがずれるのを防止することができる。
【図面の簡単な説明】
【図１】  本発明に係わるペット用保温マットの第一実施例を示す正面図である。
【図２】  第一実施例のペット用保温マットの平面展開図である。
【図３】  第二実施例のペット用保温マットを示す平面展開図である。
【図４】  第三実施例のペット用保温マットを示す平面展開図である。
【図５】  第三実施例の使用状態を示す正面図である。
【符号の説明】
１、２、３  ペット用保温マット
１１、２１、３１  シート
１２、２２、３２  カバー
１３  ヒータ
１４ コントローラ
１５  電気コード
２３、２４、３３、３４、３５、３６  止着手段
３７  開口部
【図１】
0003695597.tif 000002
【図２】
0003695597.tif 000003
【図３】
0003695597.tif 000004
【図４】
0003695597.tif 000005
【図５】
0003695597.tif 000006